(57)【特許請求の範囲】
【請求項１】
フアン室と吸引口と吐出口を有するケーシングの上記フアン室が、中央部にモータで駆動されるフアンを設けられ、
外周側には霧化液を付着させて液滴化させる合成樹脂又は金属で形成された付着液滴化部材を設けられ、
上記フアン室の下側には、上記付着液滴化部材から落下した液滴を収集する傘形斜面と、収集された液滴を集めて液体化する液体化溝を設けられ、
上記付着液滴化部材は上記フアンと上記吐出口との間に同心円状に組み合わせて複数設けられており、それぞれの上記付着液滴化部材に開けられた気流を通過させる穴の穴径が、外側の上記付着液滴化部材になるに従って次第に小さくなることを特徴とするアルコールの霧化液の回収装置。
【請求項２】
上記付着液滴化部材の上側に冷却管を配置したことを特徴とする、請求項１記載の霧化液の回収装置。
【発明の詳細な説明】
【技術分野】
【０００１】
本発明は、霧化した液体を回収して再利用できるようにする霧化液の回収装置に関する。
【背景技術】
【０００２】
従来、噴霧等で霧化して除菌、脱臭、消毒等に使用したアルコール等の霧化液は、回収できれば再使用することができるものであるが、霧化液を回収する装置は、沈降性のスラリーを含むスプレー廃液を回収するものは、特許文献１に開示されているが、アルコール等の霧化液を回収することができる簡易な装置については、情報も製品も入手できないため、霧化液は空気中へ放散されて消滅し、全く再利用されない現状にある。
【先行技術文献】
【特許文献】
【０００３】
【特許文献１】特開平５−３００３３８号
【発明の概要】
【発明が解決しようとする課題】
【０００４】
本発明は、アルコール等の霧化液を回収して再利用することができる装置を廉価に市場提供することを課題とする。
【課題を解決するための手段】
【０００５】
本発明の請求項１に係る発明は、アルコールの霧化液の回収装置であって、フアン室と吸引口と吐出口を有するケーシングの上記フアン室が、中央部にモータで駆動されるフアンを設けられ、外周側に霧化液を付着させて液滴化する合成樹脂又は金属で形成された付着液滴化部材を設けられ、上記フアン室の下側には、上記付着液滴化部材から落下した液滴を収集する傘形斜面と、収集された液滴を合体させて液体にする液体化溝を設けられ、上記付着液滴化部材は上記フアンと上記吐出口との間に同心円状に組み合わせて複数設けられており、それぞれの上記付着液滴化部材に開けられた気流を通過させる穴の穴径が、外側の上記付着液滴化部材になるに従って次第に小さくなることを特徴とする。
また、本発明の請求項２に係る発明は、上記付着液滴化部材の上側に冷却管を配置したことを特徴とする。
【発明の効果】
【０００６】
請求項１の発明によると、下記の通りの効果が得られる。１．フアンを回転させて吸引口から霧化液を吸引させると、霧化液はフアンによる送風で付着霧化部材へ送られ、その表面へ付着して、先ず霧を生成し、霧が液滴に成長すると付着液滴化部材から傘型斜面へ落ちて、この斜面に誘導されて液体化溝へ収集されて、液滴の合体で液体となって回収されるから、回収した液体を再使用し、使用で霧化液になれば、また装置で回収して再使用することで液体を残さず有効活用することができる。２．全ての機能部材が合理的にケーシングに収められた簡単で小型な装置であるため、廉価に市場提供して、霧化液の回収による再使用を広く一般に普及させることができる。３．霧化液をフアンで付着液滴化部材へ付着させて露化し、この露が液滴に成長すると斜面へ落下させて、斜面で液体化溝に収集して合体させることで回収するから、回収が迅速に効率よく行なわれて、９０％以上の高回収率での回収も容易にできる。
また、請求項２の発明によると、付着液滴化部材の温度を下げ、霧化液の蒸発による放散を防止させることができる。
【図面の簡単な説明】
【０００７】
【図１】本発明に係る霧化液の回収装置の実施形態を示す中央縦断正面図
【図２】同上の横断平面図
【図３】（ａ）（ｂ）は、同上装置に用いた霧化液の付着液滴化部材の構造及び取付態様を示す一部分の断面図
【図４】本発明に係る霧化液の回収装置の一部の変形例を示す横縦断平面図
【発明を実施するための形態】
【０００８】
図１及び図２において、符号Ａは本発明に係る霧化液の回収装置を示すのもので、この霧化液の回収装置Ａは、フアン室１と吸引口２と吐出口３を有するケーシング４の上記フアン室1の中央部に、モータ５で回転駆動されるフアン６を設けられ、外周側に霧化液を付着させて液滴化させる付着液滴化部材７を設けられ、上記フアン室１の下側には、上記付着液滴化部材７から落下した液滴を収集する傘形斜面８と、収集された液滴を合体させて液体にする環状の液体化溝９を設けられた構成のものである。
【０００９】
上記ケーシング４は、フアン室１の中央部に設けられたフアン６の軸心が上下方向に向くようフレーム１０に支持されて、上側にフアン６に対応する吸引口２を設けられ、周囲には複数（図１、図２においては４個）の吐出口３を等間隔で設けられて、これら吐出口３はその開口面積の和が吸引口２の開口面積の２倍以上になるように設定されることが望ましい。しかし、吐出口３は、図４に示す通り１個だけ設けるようにしても、その開口面積が吸引口２の開口面積の２倍以上に設定されていれば同様の機能が得られる。
【００１０】
上記付着液滴化部材７は、上記フアン６による送風で霧化液が飛ばされて表面へ当ると、霧化液を表面へ付着させて、霧化液の集まりによる露を生成させ、この露が液滴に成長すると上記傘型斜面８へ落下させて、この斜面８で環状をなす液体化溝９へ収集し、液滴の合体で液体となるようにしたものである。従って、この付着液滴化部材７は、表面へ霧化液が付着し易いが、内へは吸収されにくい例えば、合成樹脂、金属、その他の薄帯体で、図１、図２に示す通り直径差がある複数（図１、図２においては４個）のリングを形成して、付着液滴化部材７ａ、７ｂ、７ｃ、７ｄとし、これら付着液滴化部材７ａ、７ｂ、７ｃ、７ｄには、霧化液を含む気流を通過させる穴１１ａ、１１ｂ、１１ｃ、１１ｄを、穴径が穴１１ａ、１１ｂ、１１ｃ、１１ｄの順序で次第に小さくなるように開けられている。
【００１１】
上記付着液滴化部材７ａ、７ｂ、７ｃ、７ｄは、同心状に組み合わせて使用するから、送風の影響で変形を起こし易い材料で形成される場合は、図３（ａ）に示す通り、各付着液滴化部材７ａ、７ｂ、７ｃ、７ｄの外側に、それぞれパンチングメタル等で形成した補強リング１２ａ、１２ｂ、１２ｃ、１２ｄを添え、各付着液滴化部材７ａ、７ｂ、７ｃ、７ｄの上側と下側に、パンチングメタル等の連結環１３、１３を添えて、これら連結環１３、１３を補強リング１２ａ、１２ｂ、１２ｃ、１２ｄと接合することで、各付着液滴化部材７ａ、７ｂ、７ｃ、７ｄを同心円状に組み合わせる。そして、上記連結環１３、１３にはそれぞれ取付腕１４、１４を複数組取り付け、上側の取付腕１３はフアン室1の周壁１４へ取り付け、下側の取付腕１３は傘形斜面８へ取り付けて付着液滴化部材７ａ、７ｂ、７ｃ、７ｄをフアン室１内の外周側に位置付けする。しかし、付着液滴化部材７ａ、７ｂ、７ｃ、７ｄが金属製の場合は、上記した補強リング１２ａ、１２ｂ、１２ｃ、１２ｄを使用せず、図３（ｂ）に示す通り付着液滴化部材７ａ、７ｂ、７ｃ、７ｄの上部と下部に連結環１３、１３を添えて、付着液滴化部材７ａ、７ｂ、７ｃ、７ｄと接合することで、各付着液滴化部材７ａ、７ｂ、７ｃ、７ｄを同心円状に組み合わせて、上記連結環１３、１３にそれぞれ取付腕１４、１４を取り付け、上側の取付腕１４はフアン室１の周壁１５へ取り付け、下側の取付腕１３は傘形斜面８へ取り付けて付着液滴化部材７ａ、７ｂ、７ｃ、７ｄをフアン室１内の外周側に位置付けする。
【００１２】
なお、上記付着液滴化部材７ａ、７ｂ、７ｃ、７ｄへ付着した霧化液は、気温が低ければ速かに露化及び液滴化するが、気温が高いと蒸発して散逸し易くなるから、付着液滴化部材７ａ、７ｂ、７ｃ、７ｄの上側に、図１に示す通り冷却管１６を配置し、この冷却管１６に気温が高いときは、公知の通り冷媒を循環させて付着液滴化部材７ａ、７ｂ、７ｃ、７ｄの温度を下げ、霧化液の蒸発による放散を防止させる。
【００１３】
上記傘型斜面８と環状の液体化溝９は、上記フアン室１の底壁１７を、フアン６の下側に位置する部分は平であるが、フアン６より外側の部分は先下りに傾斜して、先端の下側にはＬ形の溝形成部１８を設けられるようにして、上記溝形成部１８の先端をフアン室１の周壁１５へ接合すると、上記底壁１７で傘型斜面８が形成され、上記溝形成部１７と周壁１４で環状の液体化溝９が形成されるようにしたものであって、上記液体の貯留溝９は、一方よりも他方が低くなるように傾斜して設けられ、最も低い位置に液体をタンク１９等へ取り出す配管２０を接続されて、この配管２０には弁２1を設けられている。
【００１４】
上記実施形態の霧化液の回収装置Ａは、フアン６を回転させて吸引口２から霧化液を吸入させると、霧化液はフアン６で起こされる風で付着液化部材７ａへ向かって飛ばされ、付着液滴化部材７ａヘ当るものと、この付着液滴化部材７ａに開けられた穴１０ａを通過するものを生じ、付着液滴化部材７ａへ当ったものはその表面へ付着するが、孔１０ａを通過したものは次の付着液滴化部材７ｂへ進んで、付着液滴化部材７ｂヘ当るものと、この部材７ａに開けられた穴１０ｂを通過するものを生じるもので、この現象は付着液滴化部材７ｃ及び７ｄでも同様に行なわれるから、各付着液滴化部材７ａ、７ｂ、７ｃ、７ｄの表面では付着した霧化液が集まって露を生成し、この露は液滴に成長すると、付着液滴化部材７ａ、７ｂ、７ｃ、７ｄから傘形斜面８へ落下して、この傘形斜面８で液体化溝９へ収集されて集合合体すると、再使用できる液体として回収されるものである。
【実験例１】
【００１５】
１０００ｃｃのアルコール液を、スプレーヤーで霧化して吸引口２からフアン室1へ吸い込ませ、フアン６の送風で付着液滴化部材７ａ、７ｂ、７ｃ、７ｄへ付着させて液滴とし、この液滴を傘形斜面８で液体化溝９に収集し、液体化溝９で集合合体させて液体として回収し、回収された液体を計測容器に取って計測すると、液体量は約９５０ｃｃあって９５％の高い回収率が確認された。
【００１６】
本発明に係る霧化液の回収装置Ａは、ケーシング４の吐出口３を、図４に示す通り１個設けた場合も、付着液滴化部材７ａ、７ｂ、７ｃ、７ｄによる霧化液の液滴化と、傘形斜面８による液滴の収集と、液体化溝９による液滴の集合合体が同様に行なわれるため、上記実施形態とほぼ同様の回収効果が得られる。
【産業上の利用可能性】
【００１７】
本発明は、殺菌、脱臭、消毒、洗淨等を行なったアルコール等の霧化液を、簡単に効率よく回収して再利用するのに利用できる。
【符号の説明】
【００１８】
Ａ    霧化液の回収装置
１    フアン室
２    吸引口
３    吐出口
４    ケーシング
５    モータ
６    フアン
７    付着液滴化部材
８  傘型斜面
【図１】
0005267889.tif 000002
【図２】
0005267889.tif 000003
【図３】
0005267889.tif 000004
【図４】
0005267889.tif 000005